(57)【要約】ディジタル・オーディオ信号およびディジタル・ビデオ信号のルーティングは、埋め込まれたディジタル・オーディオを取り出し、ディジタル・ビデオ信号を、通常、ビデオ・クロスポイント・スイッチによって、少なくとも１つの出力にルーティングすることによって開始される。少なくとも１つのディジタル・オーディオ信号がバッファリングされ、ディジタル・オーディオ信号のタイミングを所定のタイミング形式に合わせなおす前に、所定量のデータが得られる。バッファリングおよびタイミングを合わせなおす処理の後、ディジタル・オーディオ信号は、通常、オーディオ・クロスポイント・スイッチによって、少なくとも１つの出力にルーティングされる。互いに関連する各出力へのルーティングが行われると、ディジタル・オーディオ信号は、ディジタル・ビデオ内に埋め込まれる。
2008516535.tif 000002
【特許請求の範囲】
【請求項１】
ディジタル・オーディオ信号およびディジタル・ビデオ信号をルーティングする方法であって、
（ａ）少なくとも１つのビデオ出力にディジタル・ビデオ信号をルーティングするステップと、
（ｂ）少なくとも１つのディジタル・オーディオ信号をバッファリングするステップと、
（ｃ）前記ディジタル・オーディオ信号を所定量バッファリングした際に、所定のタイミングに、前記ディジタル・オーディオ信号のタイミングを合わせなおすステップと、
（ｄ）少なくとも１つのオーディオの送信先にディジタル・オーディオ信号をルーティングするステップと、
（ｅ）前記ディジタル・ビデオ信号および前記ディジタル・オーディオ信号が互いに対応する送信先にルーティングされたときに、ディジタル・オーディオを前記ディジタル・ビデオ信号に埋め込むステップと、
を含む前記方法。
【請求項２】
前記ディジタル・オーディオ信号は、バッファリングを行う前に前記ビデオ信号から取り出されてなる請求項１に記載の方法。
【請求項３】
複数のソースからのオーディオ信号が、単一の送信先にルーティングされ、単一の出力信号におけるチャンネルの複数の異なるグループ内に埋め込まれる請求項１に記載の方法。
【請求項４】
前記グループの順番が動的に変化する請求項３に記載の方法。
【請求項５】
グループ内のチャンネルを入れ替えるステップをさらに含む請求項３に記載の方法。
【請求項６】
チャンネルを合算して前記グループのチャンネルの少なくとも１つに挿入されるモノラルの信号を提供する請求項３に記載の方法。
【請求項７】
前記（ｂ）〜（ｅ）の各々のステップが前記ビデオ信号に埋め込まれた複数のオーディオ信号の各々のために繰り返される請求項２に記載の方法。
【請求項８】
前記ディジタル・オーディオ信号のタイミングがＡＥＳ形式に準拠するように合わせなおされる請求項１に記載の方法。
【請求項９】
入来するビデオ信号からのビット・クロックおよびシリアル・データ・ストリームを復元するステップと、
前記ビット・クロックおよびシリアル・データ・ストリームをデシリアライズすることによってワード・クロック、さらに、ビデオおよび埋め込まれたオーディオを含むパラレル・データ・ストリームを発生させるステップと、
前記パラレル・データ・ストリームからオーディオ・データを抽出するステップと、
により埋め込みされた前記ディジタル・オーディオが取り出される請求項２に記載の方法。
【請求項１０】
少なくとも１つの脱埋め込み回路であって、入来するビデオ信号に埋め込まれた少なくとも１つのディジタル・オーディオを取り出し、ビデオ信号および少なくとも１つのディジタル・オーディオ信号を生成し、そのディジタル・オーディオ信号が当該脱埋め込み回路内で十分な量のオーディオ・データを確保するためにバッファリングされる、当該脱埋め込み回路と、
ビデオ・クロスポイント・スイッチであって、当該ビデオ・クロスポイント・スイッチの別個の入力で受信された各埋め込み回路からのビデオ信号を少なくとも１つの当該ビデオ・クロスポイント・スイッチの出力にルーティングする、当該ビデオ・クロスポイント・スイッチと、
オーディオ・クロスポイント・スイッチであって、当該オーディオ・クロスポイント・スイッチの出力で受信された、少なくとも１つのバッファリングされたディジタル・オーディオ信号を、少なくとも１つの当該オーディオ・クロスポイント・スイッチの出力にルーティングする、当該オーディオ・クロスポイント・スイッチと、
少なくとも１つの埋め込み回路であって、前記オーディオ・クロスポイント・スイッチによってルーティングされた前記少なくとも１つのディジタル・オーディオをバッファリングし、前記ディジタル・ビデオ信号および少なくとも１つのディジタル・オーディオ信号が互いに関連する各出力にルーティングされたときに、前記ディジタル・ビデオ信号内に少なくとも１つのディジタル・オーディオ信号を埋め込む、当該埋め込み回路と、
を含む、オーディオ／ビデオ・ルータ。
【請求項１１】
前記少なくとも１つの脱埋め込み回路は、
前記入来するビデオ信号からのビット・クロックおよびシリアル・データ・ストリームを復元する手段と、
前記ビット・クロックおよびシリアル・データ・ストリームをデシリアライズすることによってワード・クロック、さらに、ビデオおよび埋め込まれたオーディオを含むパラレル・データ・ストリームを生成する手段と、
前記パラレル・データ・ストリームからオーディオ・データを抽出する手段と、
前記抽出されたディジタル・オーディオ信号をバッファリングする手段と、
バッファリングの後、前記抽出されたディジタル・オーディオ信号をフォーマットする手段と、
をさらに含む請求項１０に記載のオーディオ／ビデオ・ルータ。
【請求項１２】
前記少なくとも１つの埋め込み回路は、
前記ビデオ・クロスポイント・スイッチによってルーティングされるビデオ信号からビット・クロックおよびシリアル・データ・ストリームを復元する手段と、
前記ビット・クロックおよびシリアル・データ・ストリームをデシリアライズしてワード・クロック、さらに、ビデオおよび埋め込まれたオーディオを含むパラレル・データ・ストリームを生成する手段と、
前記オーディオ・クロスポイント・スイッチによってルーティングされた前記ディジタル・オーディオ信号をデシリアライズする手段と、
前記デシリアライズされたディジタル・オーディオ信号をバッファリングする手段と、
前記パラレル・ストリーム内で、前記デシリアライズおよびバッファリングされたオーディオを挿入する手段と、
ディジタル・ビデオおよびディジタル・オーディオを含む前記パラレル・データ・ストリームをシリアライズする手段と、
を含む請求項１０に記載のオーディオ／ビデオ・ルータ。
【請求項１３】
前記バッファリングする手段が先入れ先出しデバイスである請求項１１に記載のオーディオ／ビデオ・ルータ。
【請求項１４】
前記バッファリングする手段が先入れ先出しデバイスである請求項１０に記載のオーディオ／ビデオ・ルータ。
【請求項１５】
少なくとも１つの脱埋め込み回路であって、入来するビデオ信号に埋め込まれた複数のディジタル・オーディオ信号の各々を取り出し、ビデオ信号および複数のディジタル・オーディオ信号を生成し、それらのディジタル・オーディオ信号の各々が当該脱埋め込み回路内で十分な量のオーディオ・データを確保するためにバッファリングされる、当該脱埋め込み回路と、
ビデオ・クロスポイント・スイッチであって、当該ビデオ・クロスポイント・スイッチの別個の入力で各埋め込み回路から受信されたビデオ信号を少なくとも１つの当該ビデオ・クロスポイント・スイッチの出力にルーティングする、当該ビデオ・クロスポイント・スイッチと、
オーディオ・クロスポイント・スイッチであって、当該オーディオ・クロスポイント・スイッチの出力で受信された、前記ディジタル・ビデオ信号から取り出され、さらにバッファリングされた複数のディジタル・オーディオ信号を、少なくとも１つの当該オーディオ・クロスポイント・スイッチの出力にルーティングする、当該オーディオ・クロスポイント・スイッチと、
少なくとも１つの埋め込み回路であって、前記オーディオ・クロスポイント・スイッチによってルーティングされた前記複数のディジタル・オーディオ信号をバッファリングし、前記ディジタル・ビデオ信号および前記複数のディジタル・オーディオ信号が互いに関連する各出力にルーティングされたときに、前記ディジタル・ビデオ信号内に前記複数のディジタル・オーディオ信号を埋め込む、当該埋め込み回路と、
を含む、オーディオ／ビデオ・ルータ。
【発明の詳細な説明】
【技術分野】
【０００１】
（関連出願とのクロスリファレンス）
本出願は、米国特許法第１１９条（ｅ）項の下で２００４年１０月７日付で出願された米国仮特許出願第６０／６１６,８０８号の優先権を主張するものであり、その開示内容を本明細書中に盛り込むものとする。
【０００２】
本発明は、オーディオ信号およびビデオ信号をルーティングする技術に関する。
【背景技術】
【０００３】
ディジタル符号化技術の到来により、現在、ビットストリームにおいて１つ以上のオーディオ信号を符号化することが可能となっており、「ディジタル・オーディオ」または「ディジタル・オーディオ信号」が作成される。例えば、ＡＥＳ（Ａｕｄｉｏ  Ｅｎｇｉｎｅｅｒｉｎｇ  Ｓｏｃｉｅｔｙ）は、ディジタル・オーディオ信号のための特定の規格（ＡＥＳ３−１９９２、１９９７年改定）を制定している。この規格は、２つのチャンネルのグループを定義し、これらのチャンネルは、ステレオ・ペアの２つのチャンネルを表すことが多い。このようなディジタル・オーディオ信号の伝送および配送は、専用のリンク、即ち、ディジタル・オーディオ信号のみを搬送するリンクを介する信号の伝送によって行われる。代替的には、このようなディジタル・オーディオ信号は、ディジタル・ビデオ信号に多重化され、即ち、埋め込まれ、単一の経路を介してルーティングされるオーディオおよびビデオが組み合わされた信号を生み出す。通常、幾つかのＡＥＳグループを単一のビデオ信号に多重化させることができ、このようなグループは一緒になって、マルチチャンネルのサラウンド・サウンドや、幾つかの言語のオーディオ（音声）や、メイン・プログラムおよび視覚障害者に対する説明としてのオーディオ（音声）など、特別のオーディオ信号を表す。オーディオ信号が埋め込まれたこのようなビデオ信号は、ビデオ・ルータによってルーティングされるが、このアプローチでは、ビデオおよびオーディオを独立してルーティングしたり、各グループの再割り当てを行ったり、特定の言語を選択したり、必要な場合にステレオ・ペアを入れ替えたりすることが可能ではない。
【０００４】
現在、上述した機能を達成するためにディジタル・オーディオ信号およびディジタル・ビデオ信号をフレキシブルにルーティングすることは、別個のオーディオ・ルータおよびビデオ・ルータをそれぞれ使用することによって行われる。入力ビデオ信号の各々には、１つ以上のディジタル・オーディオ信号が埋め込まれているが、このビデオ信号には、通常、埋め込まれたディジタル・オーディオ信号を取り出す脱埋め込み処理（ｄｅ‐ｅｍｂｅｄｄｉｎｇ）が施される。この処理は、クロック信号を復元すること、さらに、ディジタル・ビデオ信号からディジタル・オーディオ信号を多重分離（ｄｅｍｕｌｔｉｐｌｅｘｉｎｇ）により分離することを含む。ディジタル・ビデオ信号およびディジタル・オーディオ信号は同一の送信先にルーティングされる。特定のディジタル・ビデオ信号と同一の送信先にルーティングされるディジタル・オーディオ信号は、通常、このディジタル・ビデオ信号に多重化される。例えば、オーディオ・ルータの第１の送信先にルーティングされたディジタル・オーディオ信号を、ビデオ・ルータの第１の送信先でディジタル・ビデオ信号に埋め込むことができ、結果として、必要なオーディオが埋め込まれた単一のビデオ出力を得ることができる。好ましくは、ディジタル・オーディオ・ルータは、米国特許第６，１０４，９９７号に開示されたマルチチャンネルのスワッピング（ｍｕｌｔｉ-ｃｈａｎｎｅｌ  ｓｗａｐｐｉｎｇ）を可能にする受信機を備えている。このアプローチでは、或るソースからのビデオに対し、１つ以上の別のソースから生じたオーディオを埋め込んだものを出力とすることができる。さらに、出力されるビデオにおける各オーディオ・グループの順番を、ソースでの順番とは別にすることができ、オプションとして、必要な場合には、ステレオ・ペアを入れ替えることができる。
【０００５】
オーディオをルーティングし、送信先で多重化されたものをアセンブリーする処理においては、様々な他の処理を実行することもできる。例えば、或る多重化においては、英語がオーディオ・グループ＃１に存在しなければならず、フランス語がオーディオ・グループ＃２に存在する伝送回路に対して信号を供給するが、別の伝送回路では同じビデオを必要とするものの、言語グループが逆にされ、フランス語が第１の位置に現れる場合がある。別の送信先では、モノラル・オーディオが要求される伝送回路に対して信号を供給する場合がある。この場合、グループの２つのチャンネルが合算され、合算されたものが、出力の多重化されたものにおけるグループのチャンネル「Ａ」および／または「Ｂ」に存在することになる。これらの処理、さらに多くの同様の処理は、本発明を使用し、さらに、米国特許第６，１０４，９９７号明細書に開示されたマルチチャンネルのスワッピングを可能にする受信機を備えるルータによって実行可能である。
【０００６】
ディジタル・オーディオ信号およびディジタル・ビデオ信号をルーティングする本アプローチでは、ビデオ・ルータの各入力の前段に、埋め込まれたディジタル・オーディオを取り出すための脱埋め込み回路（ｄｅ‐ｅｍｂｅｄｅｒ）が設けられ、ビデオ・ルータの各出力の後段に、埋め込み回路（ｅｍｂｅｄｄｅｒ）が設けられることが必要である。各脱埋め込み回路は、クロック・タイミングの復元、デシリアライゼーション（ｄｅ−ｓｅｒｉａｌｉｚａｔｉｏｎ）、およびオーディオの抽出を行うための複数の別個のブロックを含む。各埋め込み回路は、クロック・タイミングの復元、デシリアライズ、ディジタル・オーディオ信号の挿入、およびシリアライゼーション（ｓｅｒｉａｌｉｚａｔｉｏｎ）を行う。今日のオーディオ・ルータおよびビデオ・ルータ自体、脱埋め込み回路および埋め込み回路と同様のタスクの幾らかを実行するため、これらのデバイスの機能を重複させて設けることにより、コストが増加し、複雑さが増大している。
【０００７】
従って、オーディオ信号およびビデオ信号のルーティングを簡略化し、１つ以上のソースの１つ以上のグループからのオーディオを多重化された出力におけるグループに仕向ける際のフレキシビリティを向上させる技術に対する需要が存在する。
【発明の開示】
【０００８】
（発明の概要）
簡潔に言えば、本原理に係る例示的な実施の形態に従って、ディジタル・オーディオ信号およびディジタル・ビデオ信号をルーティングする技術が提供される。この方法は、ディジタル・ビデオ信号を、通常、ビデオ・クロスポイント・スイッチによって、少なくとも１つの出力にルーティングすることによって開始される。少なくとも１つのディジタル・オーディオ信号がバッファリングされる。バッファリング、即ち、オーディオを遅延させる目的は、十分なデータをバッファリングし、ビデオ・ラインにオーディオ・データが少なくなっているか、オーディオ・データが存在しないアンダーフローの状態が起こらないようにすることである。バッファリングされたオーディオ・データのタイミングは、所定のタイミング形式に合わせなおされる。バッファリングおよびタイミングの合わせなおしの後、ディジタル・オーディオ信号は、通常、オーディオ・クロスポイント・スイッチによって、少なくとも１つの送信先にルーティングされる。互いに関連する送信先にルーティングされると、ディジタル・オーディオ信号は、多重化された信号の出力となる前にディジタル・ビデオに埋め込まれる。
【発明を実施するための最良の形態】
【０００９】
後述するように、本原理のディジタル・オーディオ／ビデオ・ルータは、オーディオ信号およびビデオ信号を所与の送信先に好適にルーティングし、ディジタル・オーディオ信号をディジタル・ビデオ信号に埋め込む際の複雑さが低減されている。本原理のディジタル・オーディオ／ビデオ・ルータがどのように従来技術のものと異なるかを理解するために、２つの従来技術に係るルータの概略的な説明が有用になるであろう。
【００１０】
図１は、従来技術に係るオーディオ／ビデオ・ルータ・システム１００を概略的に示すブロック図である。従来技術に係るオーディオ／ビデオ・ルータ・システム１００は、複数のデマルチプレクサ１４０１〜１４０ｎからなるデマルチプレクサ・バンク１２０を含む。ｎは整数である。各デマルチプレクサ１４０１〜１４０ｎは、ディジタル・オーディオが埋め込まれた入力ディジタル・ビデオ信号を多重分離し、ビデオ・ルータ１６０およびオーディオ・ルータ１８０の別個の入力に供給される別個のディジタル・ビデオ信号およびディジタル・オーディオ信号を発生させる。ディジタル・ビデオ・ルータ１６０は、１つ以上の所与の入力または１つ以上の所与の出力において各ディジタル・ビデオ信号をルーティングし、ディジタル・オーディオ・ルータ１８０は、１つ以上の所与の入力または１つ以上の所与の出力において、各ディジタル・オーディオ信号をルーティングする。複数のマルチプレクサ２００１〜２００ｍ（ｍは整数）は、関連するディジタル・ビデオ・ルータ１６０の出力とディジタル・オーディオ・ルータ１８０の対応する出力からの１つ以上のディジタル・オーディオ信号を多重化する。従って、例えば、マルチプレクサ２００１は、ディジタル・ビデオ・ルータ１６０の第１の出力からのディジタル・ビデオ信号とディジタル・オーディオ・ルータ１８０の第１の出力からのディジタル・オーディオ信号を多重化する。同様に、マルチプレクサ２００２は、ディジタル・ビデオ・ルータ１６０の第２の出力からのディジタル・ビデオ信号とディジタル・オーディオ・ルータ１６０の第２の出力のディジタル・オーディオ信号を多重化する。
【００１１】
図１のビデオ・ルータ１６０およびオーディオ・ルータ１８０には、機能の重複という短所がある。ビデオ・ルータ１６０およびオーディオ・ルータ１８０の各々は、それぞれの入力で等化処理を実行するが、このような等化処理は、各デマルチプレクサ１４０１〜１４０ｎの内部で行われる。同様に、ビデオ・ルータ１６０およびオーディオ・ルータ１８０の各々は、各デマルチプレクサ１４０１〜１４０ｎが行うように、それぞれの入力信号のクロッキングをやりなおす（ディジタル信号タイミングの同期をやりなおす）。さらに、ビデオ・ルータ１６０およびオーディオ・ルータ１８０の各々は、それぞれの出力信号のクロッキングをやりなおす。このようなクロッキングのやりなおしは、各ビデオ／オーディオ・マルチプレクサ２００１〜２００ｍによっても実行される。このような機能の重複により、コストが増加し、その他の問題も生じる。
【００１２】
図２は、本発明の原理の例示的な実施の形態に係るオーディオ／ビデオ・ルータ２００を概略的に示すブロック図である。ルータ２００は、ビデオ・クロスポイント・スイッチ２０２およびオーディオ・クロスポイント・スイッチ２０４を含み、それぞれのスイッチは、そのスイッチの入力での信号をそのスイッチの１以上の出力にルーティングすることができる。ビデオ・ルータ１６０およびオーディオ・ルータ１８０とは異なり、ビデオ・クロスポイント・スイッチ２０２およびオーディオ・クロスポイント・スイッチ２０４は、等化機能やクロッキングをやりなおす機能を有さず、これにより、後述した内容から良好に理解されるように、システムの複雑さが低減される。
【００１３】
ビデオ・クロスポイント・スイッチ２０２によってルーティングされることになる入来するディジタル・ビデオ信号は、まず、通常は、等化回路２０６によって等化処理される。脱埋め込み回路２０５は、図３を参照して詳細に説明するが、等化回路２０６によって等化処理されたディジタル・ビデオ信号に埋め込まれているディジタル・オーディオ信号が存在する場合には、このディジタル・オーディオ信号を多重分離する機能を有する。図２にははっきりと示されていないが、ビデオ・クロスポイント・スイッチ２０２の入力および出力の各々には、関連する埋め込み回路および脱埋め込み回路がそれぞれ存在する。実際には、入来するビデオ信号は、オーディオが埋め込まれると、少なくとも１つであり、４つもの別個のグループのオーディオ・グループを含むこととなり、各グループは、ＡＥＳ３規格に従った２つのチャンネルを含む。従って、各グループは、２つの信号の「ストリーム」または「ペア」からなり、各ストリームは、２つまでのオーディオ・チャンネル、通常は、左右のステレオ・チャンネルからなる。なお、各グループにおける各信号は、他のものと独立して存在することができる。通常、ディジタル・ビデオ信号は、１つまたは２つの埋め込みされたステレオ・ディジタル・オーディオ・グループを有する。グループ内のチャンネルは、合算（ｓｕｍｍｉｎｇ）されて、グループのチャンネルのうちの少なくとも１つに挿入されるモノラルの信号を提供することもできる。
【００１４】
このビデオ信号は、埋め込まれたオーディオが取り出されている場合があり、ビデオ・クロスポイント・スイッチ２０２の入力の１つに受け渡される。一方、ディジタル・ビデオ信号に埋め込まれていたが、取り出されたディジタル・オーディオ信号は、オーディオ・クロスポイント・スイッチ２０４の入力に受け渡される。各ディジタル・ビデオ信号からのディジタル・オーディオ信号は、単一のエンティティとしてルーティングすることができ、複数の入力からのオーディオを、送信先で多重化されたものの複数の異なるグループにルーティングすることができる。代替的には、例えば、オーディオ・クロスポイント・スイッチ２０４の各入力における１つまたは２つのステレオ・ディジタル・オーディオ・チャンネルを、同一の送信先にルーティングすることができる。なお、オーディオは、「抽出」されるか、取り出されてディジタル・オーディオ・ストリームが得られるが、この処理は、コピーする処理としてもよく、必ずしも、オーディオはビデオ・ストリームから削除されない。別個のオーディオのルーティングが不要である場合には、多重化されたオーディオをそのままにしてもよく、既存のオーディオ・データを新たなオーディオが挿入されるときに出力で削除してもよい。
【００１５】
なお、オーディオは、ビデオから抽出されるか、取り出されてディジタル・オーディオ・ストリームが得られるが、この処理は、コピーする処理としてもよく、必ずしも、オーディオはビデオ・ストリームから削除されない。別個のオーディオのルーティングが不要である場合には、多重化されたものをそのままにしてもよく、既存のオーディオ・データを新たなオーディオが挿入されるときに出力で削除してもよい。
【００１６】
各入力ディジタル・ビデオ信号から抽出されたディジタル・オーディオ信号のルーティングに加えて、さらに、オーディオ・クロスポイント・スイッチ２０４は、ビデオ信号とは独立して受信されるディジタル・オーディオ信号のルーティングを行う。例えば、オーディオ・クロスポイント・スイッチ２０４は、スイッチ入力で受信した受信回路２０７からのオーディオ信号のルーティングを行う。
【００１７】
ビデオ・クロスポイント・スイッチ２０２およびオーディオ・クロスポイント・スイッチ２０４によるディジタル・ビデオ信号およびディジタル・オーディオ信号のルーティングは、通常、独立して行われる。従って、例えば、ビデオ・クロスポイント・スイッチ２０２の第１の入力でディジタル・ビデオ信号は、スイッチの出力Ｍにルーティングされる。逆に、ビデオ信号に当初埋め込まれたディジタル・オーディオは、オーディオ・クロスポイント・スイッチ２０４の出力Ｎにルーティングされる。通常、Ｍ＝Ｎではないが、このことは必須ではない。
【００１８】
実際には、各オーディオ・クロスポイント・スイッチ２０４の出力のディジタル・オーディオ信号は、ビデオ・クロスポイント・スイッチ２０２の関連する出力に現れるディジタル・ビデオ信号に埋め込まれる。このような埋め込みは、図３を参照して詳細に説明する埋め込み回路２０８を介して行われる。従って、例えば、オーディオ・クロスポイント・スイッチ２０４の出力＃１のディジタル・オーディオ信号は、ビデオ・クロスポイント・スイッチ２０２の出力＃１にルーティングされたビデオ信号に、必要であれば、既に埋め込み済のオーディオに差し替えて埋め込まれる。ドライバ回路２１０はディジタル・ビデオと埋め込み回路２０８によって埋め込まれたオーディオ信号出力を同軸ケーブルまたはその他の伝送媒体に結合させる機能を有する。図２にはっきりと示していないが、オーディオ・クロスポイント・スイッチ２０４の出力＃２のディジタル・オーディオ信号は、ビデオ・クロスポイント・スイッチ２０２の出力＃２のディジタル・ビデオ信号に埋め込まれる。同様に、例えば、オーディオ・クロスポイント・スイッチ２０４の出力＃３のディジタル・オーディオ信号は、ビデオ・クロスポイント・スイッチ２０２の出力＃３のディジタル・ビデオ信号に埋め込まれる。
【００１９】
図３は、図２のルータ２００と共に使用される脱埋め込み回路２０５を概略的に示すブロック図である。図３の脱埋め込み回路２０５は、１つ以上のディジタル・オーディオ信号のグループが埋め込まれた入力ディジタル・ビデオ信号を受信するクロック／タイミング復元回路３００を含む。クロック／タイミング・ビット復元回路３００は、クロック信号を復元し、出力にビット・クロックおよびシリアル・データの信号を生成する。デシリアライザ回路３０２は、クロック／タイミング・ビット復元回路３００からのビット・クロックおよびシリアル・データの信号を、ディジタル・ビデオ信号および埋め込まれたディジタル・オーディオ信号を生成するワード・クロック信号よびパラレル・データ・ストリームに変換する。
【００２０】
ワード・クロック信号およびパラレル・データ・ストリームは、オーディオ・データ削除回路３０４、第１のオーディオ・データ抽出回路３０６、第２のオーディオ・データ抽出回路３０８、およびＡＥＳクロック／タイミング発生回路３１０の各々に受け渡される。オーディオ削除回路３０４は、デシリアライザ回路３０２から受信したパラレル・データ・ストリーム内に埋め込まれたディジタル・オーディオを除去し、ビデオ・クロスポイント・スイッチ２０２の入力での受信のためにワード・クロックと同期したディジタル・ビデオ信号を発生させる。オーディオ・データ抽出回路３０６、３０８の各々は、デシリアライザ回路３０２によって生成されたパラレル・データ・ストリーム内に埋め込まれたオーディオ信号の別個のグループを抽出する機能を有する。実際には、埋め込まれたオーディオは、ＡＥＳディジタル・オーディオ信号の２つのグループを含むため、２つの抽出回路３０６、３０８が存在する。埋め込まれたディジタル・オーディオ信号のグループの数の増減により、抽出回路の数が増減する。
【００２１】
ＡＥＳクロック／タイミング発生回路３１０は、デシリアライザ回路３０２からのワード・クロックおよびパラレル・データ・ストリームを使用してクロック信号を発生させ、ＡＥＳ（Ａｕｄｉｏ  Ｅｎｇｉｎｉｅｅｒｉｎｇ  Ｓｏｃｉｅｔｙ）に準拠したディジタル・オーディオ信号の適切なタイミングを維持する。放送、専門の動画業界で使用されるディジタル・オーディオ信号は、通常、ＡＥＳ規格に準拠している。従って、入力ビデオ信号に埋め込まれていたが、取り出されたＡＥＳ準拠のディジタル・オーディオ信号を同期させなおす機能が重要である。入力ディジタル・ビデオから除去されたディジタル・オーディオ信号がＡＥＳ規格に準拠しないが、異なるタイミングの条件を有する別の規格に準拠している場合には、クロック／タイミング回路３１０は、このような規格にディジタル・オーディオ信号を同期させなおす。実際には、ＡＥＳクロック／タイミング回路３１０には、位相ロックド・ループまたは直接合成回路が含まれる。
【００２２】
オーディオ・データ抽出回路３０６、３０８によって抽出されたディジタル・オーディオ信号のグループは、バッファ３１２および３１４のそれぞれでバッファリングされ、それぞれのバッファ３１２、３１４は、先入れ先出し（ＦＩＦＯ：  Ｆｉｒｓｔ  ｉｎ  Ｆｉｒｓｔ  ｏｕｔ）デバイスの形態をとり、ディジタル・オーディオ信号のグループのバッファリングを行う。抽出回路３０６、３０８の場合と同様に、埋め込まれるディジタル・オーディオ信号のグループの数が増加すれば、バッファの数が増加することになる。バッファ３１２および３１４の各々は、新たな入力ディジタル・ビデオ信号の各々から抽出されたディジタル・オーディオ信号を受信する。始動の際、または、オーディオ・データが切換えられるか、壊れている場合には、バッファ３１２および３１４がクリアされ、バッファが所定のレベルに達するように、十分な量のデータが受信されるまで、データが蓄積される。これにより、出力において、所定のレベルに至ったことを示す信号が発生する。通常、各バッファは、十分なサイズを有し、入来するビデオ信号に埋め込まれたディジタル・オーディオの伝送の変化により、アンダーフローやオーバーフローは発生しない。
【００２３】
ＡＥＳフォーマッタ回路３１６および３１８の各々は、バッファ回路３１２および３１４の各々における適切なレベルに達した旨の信号を受信すると、それぞれ、関連するバッファ回路３１２および３１４からデータの読み出しを開始する。ＡＥＳフォーマッタ／シリアライズ回路３１６および３１８は、関連するバッファから受信された各グループ内のディジタル・オーディオ信号をＡＥＳ形式にフォーマットし、信号を回路３１０からのＡＥＳクロック信号に同期させる。バッファリングされたディジタル信号がＡＥＳ形式とは異なる形式であれば、フォーマッタ／シリアライズ回路が信号を適切にフォーマットする。ＡＥＳフォーマッタ／シリアライズ回路３１６および３１８によって出力された各グループ内のＡＥＳ形式にフォーマットされたディジタル・オーディオ信号は、図２のオーディオ・クロスポイント・スイッチ２０４の入力に受け渡される。
【００２４】
図４は、埋め込み回路２０８を概略的に示すブロック図である。埋め込み回路２０８は、図３の回路３００と同様のクロック／タイミング復元回路４００を含む。クロック／タイミング復元回路４００は、図２のビデオ・クロスポイント・スイッチ２０２の特定の出力（例えば、出力＃１）からディジタル・ビデオ信号出力を受信する。クロック／タイミング・ビット復元回路４００は、このディジタル・ビデオからのクロック信号を復元し、回路出力でビット・クロック信号およびシリアル・データ信号を提供する。デシリアライザ回路４０２は、クロック・タイミング・ビット復元回路４００からのビット・クロック信号およびシリアル・データ信号を、オーディオ・データ挿入回路４０４に入力するためのワード・クロック信号およびパラレル・データ・ストリームに変換する。
【００２５】
オーディオ・データ挿入回路４０４は、ビデオ・クロスポイント・スイッチ２０２の特定の出力から受信し、その後、クロック・タイミング復元回路４００およびデシリアライザ回路４０２によって処理されたビデオ信号にディジタル・オーディオのグループを挿入する（即ち、埋め込む）機能を有する。オーディオ挿入回路４０４によって挿入されるディジタル・オーディオ信号のグループは、一対のＦＩＦＯデバイス４０６および４０８から得られる。ＦＩＦＯデバイス４０６および４０８の各々は、別々のＡＥＳ受信機／デシリアライザ回路４１０および４１２のから受信されるオーディオ・データをバッファリングする。ＡＥＳ受信機／デシリアライザ回路４１０および４１２の各々は、入力においてオーディオ・クロスポイント・スイッチ２０４の出力に現れるそれぞれのＡＥＳディジタル・オーディオ信号グループを受信する。このオーディオ・クロスポイント２０４の出力は、ディジタル・ビデオ信号をクロック／タイミング復元回路４００に供給したビデオ・クロスポイント・スイッチ２０２の出力に対応する。バッファ３１２および３１４と同様に、ＦＩＦＯデバイス４０６および４０８は特定のレベルまで満たされ、オーディオ伝送の変化によるバッファのアンダーフローを防止する。
【００２６】
オーディオ挿入回路４０４にＡＥＳディジタル信号の２つのグループ（例えば、ディジタル・オーディオ信号の２つのグループ（例えば、２つのステレオＡＥＳディジタル信号））を提供するためには、２つのＡＥＳ受信機／デシリアライザ回路４１０および４１２、さらに、２つのＦＩＦＯデバイス４０６および４０８をそれぞれ使用することが必要となる。ディジタル・オーディオ信号のグループの数が増加すると、より多くのデバイスが必要となる。
【００２７】
オーディオ・データ挿入回路４０４は、ＦＩＦＯデバイス４０６および４０８によってバッファリングされたディジタル・オーディオ信号のグループをデシリアライザ回路４０２からオーディオ・データ挿入回路４０４によって受信されたパラレル・データ・ストリームの形態のビデオに挿入する。通常のプラクティスにおいては、オーディオ・データ挿入回路４０４は、必要なオーディオを挿入する前に、既に埋め込まれたオーディオを削除する。シリアライザ回路４１４は、オーディオ・データ挿入回路４０４によって出力されたワード・クロックおよびパラレル・データ・ストリームからシリアライズされたディジタル・ビデオ信号を生成する。
【００２８】
埋め込み回路２０５内のバッファ３１２および３１４および埋め込み回路２０８内のバッファ４０６および４０８は、信号をバッファリング、または遅延させ、ＡＥＳストリームまたは埋め込まれたオーディオにおけるアンダーフロー（ギャップ）またはオーバーフロー（欠落）の発生を阻止する。これらのバッファは、初期化処理を施され、この間に、データを読み出す前に半分ほど満たされる。初期化の後、埋め込み回路２０８の中のバッファ４０６および４０８は、一定のレートでバッファに書き込まれるオーディオ信号を受信するが、ビデオ信号内で配送されるオーディオに一致するように可変のレートでデータを出力する。ビデオ・ラインのアクティブな部分の間にはオーディオは存在せず、オーディオは、大部分のラインの水平方向の補助スペースにおいて現れることができるが、スイッチ・ラインなどの特定のライン上には現れない。脱埋め込み回路２０５の場合には、バッファ３１２および３１４は、異なるレートでデータを受信するが、一定のレートでデータを読み出す。
【００２９】
フレームに渡って、バッファのレベルは、初期化が完了したポイントの上下を上昇、下降する。異なる機器／ベンダーは、ビデオ信号におけるオーディオの伝送が異なるため、脱埋め込み回路２０５内のバッファ３１２および３１４は、通常、不十分に伝送されたオーディオを取り扱うために余分のスペースを有する。埋め込み回路２０８では、伝送については既知のままである。望ましい場合には、サンプルの損失の潜在的リスクを伴いながら、バッファがオーバーフローするのを待つのではなく、ビデオのラインに基づいて「準備完了（ｒｅａｄｙ）」レベルの調節が行われる。
【００３０】
上述した内容は、従来技術のデバイスの余分な機能を取り除くことによって複雑さを低減させるオーディオ／ビデオのルーティングに関するものであり、オーディオのグループまたはチャンネルを独立してルーティングする際のフレキシビリティを向上させる。
【図面の簡単な説明】
【００３１】
【図１】従来技術に係るオーディオ／ビデオ・ルータを概略的に示すブロック図である。
【図２】本発明の原理の好ましい実施の形態に係るオーディオ／ビデオ・ルータを概略的に示すブロック図である。
【図３】図２のオーディオ／ビデオ・ルータと共に使用される脱埋め込み回路を概略的に示すブロック図である。
【図４】図２のオーディオ／ビデオ・ルータと共に使用される埋め込み回路を概略的に示すブロック図である。
【図１】
2008516535.tif 000003
【図２】
2008516535.tif 000004
【図３】
2008516535.tif 000005
【図４】
2008516535.tif 000006
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
ディジタル・オーディオ信号およびディジタル・ビデオ信号をルーティングする方法であって、
（ａ）少なくとも１つのビデオ出力にディジタル・ビデオ信号をルーティングするステップと、
（ｂ）少なくとも１つのディジタル・オーディオ信号をバッファリングするステップと、
（ｃ）前記ディジタル・オーディオ信号を所定量バッファリングした際に、所定のタイミングに、前記ディジタル・オーディオ信号のタイミングを合わせなおすステップと、
（ｄ）少なくとも１つのオーディオの送信先にディジタル・オーディオ信号をルーティングするステップと、
（ｅ）前記ディジタル・ビデオ信号および前記ディジタル・オーディオ信号が互いに対応する送信先にルーティングされたときに、ディジタル・オーディオを前記ディジタル・ビデオ信号に埋め込むステップと、
を含む前記方法。
【請求項２】
前記ディジタル・オーディオ信号は、バッファリングを行う前に前記ビデオ信号から取り出されてなる請求項１に記載の方法。
【請求項３】
複数のソースからのオーディオ信号が、単一の送信先にルーティングされ、単一の出力信号におけるチャンネルの複数の異なるグループ内に埋め込まれる請求項１に記載の方法。
【請求項４】
前記グループの順番が動的に変化する請求項３に記載の方法。
【請求項５】
グループ内のチャンネルを入れ替えるステップをさらに含む請求項３に記載の方法。
【請求項６】
グループ内のチャンネルを合算して前記グループのチャンネルの少なくとも１つに挿入されるモノラルの信号を提供する請求項３に記載の方法。
【請求項７】
前記（ｂ）〜（ｅ）の各々のステップが前記ビデオ信号に埋め込まれた複数のオーディオ信号の各々のために繰り返される請求項２に記載の方法。
【請求項８】
前記ディジタル・オーディオ信号のタイミングがＡＥＳ形式に準拠するように合わせなおされる請求項１に記載の方法。
【請求項９】
入来するビデオ信号からのビット・クロックおよびシリアル・データ・ストリームを復元するステップと、
前記ビット・クロックおよびシリアル・データ・ストリームをデシリアライズすることによってワード・クロック、さらに、ビデオおよび埋め込まれたオーディオを含むパラレル・データ・ストリームを発生させるステップと、
前記パラレル・データ・ストリームからオーディオ・データを抽出するステップと、
により埋め込みされた前記ディジタル・オーディオが取り出される請求項２に記載の方法。
【請求項１０】
少なくとも１つの脱埋め込み回路であって、入来するビデオ信号に埋め込まれた少なくとも１つのディジタル・オーディオを取り出し、ビデオ信号および少なくとも１つのディジタル・オーディオ信号を生成し、そのディジタル・オーディオ信号が当該脱埋め込み回路内で十分な量のオーディオ・データを確保するためにバッファリングされる、当該脱埋め込み回路と、
ビデオ・クロスポイント・スイッチであって、当該ビデオ・クロスポイント・スイッチの別個の入力で受信された各脱埋め込み回路からのビデオ信号を少なくとも１つの当該ビデオ・クロスポイント・スイッチの出力にルーティングする、当該ビデオ・クロスポイント・スイッチと、
オーディオ・クロスポイント・スイッチであって、当該オーディオ・クロスポイント・スイッチの入力で受信された、少なくとも１つのバッファリングされたディジタル・オーディオ信号を、少なくとも１つの当該オーディオ・クロスポイント・スイッチの出力にルーティングする、当該オーディオ・クロスポイント・スイッチと、
少なくとも１つの埋め込み回路であって、前記オーディオ・クロスポイント・スイッチによってルーティングされた前記少なくとも１つのディジタル・オーディオ信号をバッファリングし、前記ディジタル・ビデオ信号および少なくとも１つのディジタル・オーディオ信号が互いに関連する各出力にルーティングされたときに、前記ディジタル・ビデオ信号内に少なくとも１つのディジタル・オーディオ信号を埋め込む、当該埋め込み回路と、
を含む、オーディオ／ビデオ・ルータ。
【請求項１１】
前記少なくとも１つの脱埋め込み回路は、
前記入来するビデオ信号からのビット・クロックおよびシリアル・データ・ストリームを復元する手段と、
前記ビット・クロックおよびシリアル・データ・ストリームをデシリアライズすることによってワード・クロック、さらに、ビデオおよび埋め込まれたオーディオを含むパラレル・データ・ストリームを生成する手段と、
前記パラレル・データ・ストリームからオーディオ・データを抽出する手段と、
前記抽出されたディジタル・オーディオ信号をバッファリングする手段と、
バッファリングの後、前記抽出されたディジタル・オーディオ信号をフォーマットする手段と、
をさらに含む請求項１０に記載のオーディオ／ビデオ・ルータ。
【請求項１２】
前記少なくとも１つの埋め込み回路は、
前記ビデオ・クロスポイント・スイッチによってルーティングされるビデオ信号からビット・クロックおよびシリアル・データ・ストリームを復元する手段と、
前記ビット・クロックおよびシリアル・データ・ストリームをデシリアライズしてワード・クロック、さらに、ビデオおよび埋め込まれたオーディオを含むパラレル・データ・ストリームを生成する手段と、
前記オーディオ・クロスポイント・スイッチによってルーティングされた前記ディジタル・オーディオ信号をデシリアライズする手段と、
前記デシリアライズされたディジタル・オーディオ信号をバッファリングする手段と、
前記パラレル・ストリーム内で、前記デシリアライズおよびバッファリングされたオーディオを挿入する手段と、
ディジタル・ビデオおよびディジタル・オーディオを含む前記パラレル・データ・ストリームをシリアライズする手段と、
を含む請求項１０に記載のオーディオ／ビデオ・ルータ。
【請求項１３】
前記バッファリングする手段が先入れ先出しデバイスである請求項１１に記載のオーディオ／ビデオ・ルータ。
【請求項１４】
前記バッファリングする手段が先入れ先出しデバイスである請求項１０に記載のオーディオ／ビデオ・ルータ。
【請求項１５】
少なくとも１つの脱埋め込み回路であって、入来するビデオ信号に埋め込まれた複数のディジタル・オーディオ信号の各々を取り出し、ビデオ信号および複数のディジタル・オーディオ信号を生成し、それらのディジタル・オーディオ信号の各々が当該脱埋め込み回路内で十分な量のオーディオ・データを確保するためにバッファリングされる、当該脱埋め込み回路と、
ビデオ・クロスポイント・スイッチであって、当該ビデオ・クロスポイント・スイッチの別個の入力で各脱埋め込み回路から受信されたビデオ信号を少なくとも１つの当該ビデオ・クロスポイント・スイッチの出力にルーティングする、当該ビデオ・クロスポイント・スイッチと、
オーディオ・クロスポイント・スイッチであって、当該オーディオ・クロスポイント・スイッチの入力で受信された、前記ディジタル・ビデオ信号から取り出され、さらにバッファリングされた複数のディジタル・オーディオ信号を、少なくとも１つの当該オーディオ・クロスポイント・スイッチの出力にルーティングする、当該オーディオ・クロスポイント・スイッチと、
少なくとも１つの埋め込み回路であって、前記オーディオ・クロスポイント・スイッチによってルーティングされた前記複数のディジタル・オーディオ信号をバッファリングし、前記ディジタル・ビデオ信号および前記複数のディジタル・オーディオ信号が互いに関連する各出力にルーティングされたときに、前記ディジタル・ビデオ信号内に前記複数のディジタル・オーディオ信号を埋め込む、当該埋め込み回路と、
を含む、オーディオ／ビデオ・ルータ。
【手続補正２】
【補正対象書類名】明細書
【補正対象項目名】０００７
【補正方法】変更
【補正の内容】
【０００７】
従って、オーディオ信号およびビデオ信号のルーティングを簡略化し、１つ以上のソースの１つ以上のグループからのオーディオを多重化された出力におけるグループに仕向ける際のフレキシビリティを向上させる技術に対する需要が存在する。
【特許文献１】米国特許第６，１０４，９９７号明細書
【手続補正３】
【補正対象書類名】明細書
【補正対象項目名】００１９
【補正方法】変更
【補正の内容】
【００１９】
図３は、図２のルータ２００と共に使用される脱埋め込み回路２０５を概略的に示すブロック図である。図３の脱埋め込み回路２０５は、１つ以上のディジタル・オーディオ信号のグループが埋め込まれた入力ディジタル・ビデオ信号を受信するクロック／タイミング・ビット復元回路３００を含む。クロック／タイミング・ビット復元回路３００は、クロック信号を復元し、出力にビット・クロックおよびシリアル・データの信号を生成する。デシリアライザ回路３０２は、クロック／タイミング・ビット復元回路３００からのビット・クロックおよびシリアル・データの信号を、ディジタル・ビデオ信号および埋め込まれたディジタル・オーディオ信号を生成するワード・クロック信号よびパラレル・データ・ストリームに変換する。
【手続補正４】
【補正対象書類名】明細書
【補正対象項目名】００２１
【補正方法】変更
【補正の内容】
【００２１】
ＡＥＳクロック／タイミング発生回路３１０は、デシリアライザ回路３０２からのワード・クロックおよびパラレル・データ・ストリームを使用してクロック信号を発生させ、ＡＥＳ（Ａｕｄｉｏ  Ｅｎｇｉｎｉｅｅｒｉｎｇ  Ｓｏｃｉｅｔｙ）に準拠したディジタル・オーディオ信号の適切なタイミングを維持する。放送、専門の動画業界で使用されるディジタル・オーディオ信号は、通常、ＡＥＳ規格に準拠している。従って、入力ビデオ信号に埋め込まれていたが、取り出されたＡＥＳ準拠のディジタル・オーディオ信号を同期させなおす機能が重要である。入力ディジタル・ビデオから除去されたディジタル・オーディオ信号がＡＥＳ規格に準拠しないが、異なるタイミングの条件を有する別の規格に準拠している場合には、クロック／タイミング回路３１０は、このような規格にディジタル・オーディオ信号を同期させなおす。実際には、ＡＥＳクロック／タイミング発生回路３１０には、位相ロックド・ループまたは直接合成回路が含まれる。
【手続補正５】
【補正対象書類名】明細書
【補正対象項目名】００２４
【補正方法】変更
【補正の内容】
【００２４】
図４は、埋め込み回路２０８を概略的に示すブロック図である。埋め込み回路２０８は、図３のクロック／タイミング・ビット復元回路３００と同様のクロック／タイミング・ビット復元回路４００を含む。クロック／タイミング・ビット復元回路４００は、図２のビデオ・クロスポイント・スイッチ２０２の特定の出力（例えば、出力＃１）からディジタル・ビデオ信号出力を受信する。クロック／タイミング・ビット復元回路４００は、このディジタル・ビデオからのクロック信号を復元し、回路出力でビット・クロック信号およびシリアル・データ信号を提供する。デシリアライザ回路４０２は、クロック・タイミング・ビット復元回路４００からのビット・クロック信号およびシリアル・データ信号を、オーディオ・データ挿入回路４０４に入力するためのワード・クロック信号およびパラレル・データ・ストリームに変換する。
【手続補正６】
【補正対象書類名】明細書
【補正対象項目名】００２５
【補正方法】変更
【補正の内容】
【００２５】
オーディオ・データ挿入回路４０４は、ビデオ・クロスポイント・スイッチ２０２の特定の出力から受信し、その後、クロック・タイミング・ビット復元回路４００およびデシリアライザ回路４０２によって処理されたビデオ信号にディジタル・オーディオのグループを挿入する（即ち、埋め込む）機能を有する。オーディオ挿入回路４０４によって挿入されるディジタル・オーディオ信号のグループは、一対のＦＩＦＯデバイス４０６および４０８から得られる。ＦＩＦＯデバイス４０６および４０８の各々は、別々のＡＥＳ受信機／デシリアライザ回路４１０および４１２のから受信されるオーディオ・データをバッファリングする。ＡＥＳ受信機／デシリアライザ回路４１０および４１２の各々は、入力においてオーディオ・クロスポイント・スイッチ２０４の出力に現れるそれぞれのＡＥＳディジタル・オーディオ信号グループを受信する。このオーディオ・クロスポイント２０４の出力は、ディジタル・ビデオ信号をクロック／タイミング・ビット復元回路４００に供給したビデオ・クロスポイント・スイッチ２０２の出力に対応する。バッファ３１２および３１４と同様に、ＦＩＦＯデバイス４０６および４０８は特定のレベルまで満たされ、オーディオ伝送の変化によるバッファのアンダーフローを防止する。
【手続補正７】
【補正対象書類名】明細書
【補正対象項目名】００２８
【補正方法】変更
【補正の内容】
【００２８】
脱埋め込み回路２０５内のバッファ３１２および３１４および埋め込み回路２０８内のバッファ４０６および４０８は、信号をバッファリング、または遅延させ、ＡＥＳストリームまたは埋め込まれたオーディオにおけるアンダーフロー（ギャップ）またはオーバーフロー（欠落）の発生を阻止する。これらのバッファは、初期化処理を施され、この間に、データを読み出す前に半分ほど満たされる。初期化の後、埋め込み回路２０８の中のバッファ４０６および４０８は、一定のレートでバッファに書き込まれるオーディオ信号を受信するが、ビデオ信号内で配送されるオーディオに一致するように可変のレートでデータを出力する。ビデオ・ラインのアクティブな部分の間にはオーディオは存在せず、オーディオは、大部分のラインの水平方向の補助スペースにおいて現れることができるが、スイッチ・ラインなどの特定のライン上には現れない。脱埋め込み回路２０５の場合には、バッファ３１２および３１４は、異なるレートでデータを受信するが、一定のレートでデータを読み出す。
【国際調査報告】
2008516535.tif 000007
2008516535.tif 000008
2008516535.tif 000009